(57)【要約】      （修正有）【課題】webサーバを介した外部設定器によるグループ毎の照明器具の点灯制御および操作端末器のアドレス設定を可能とする照明制御システムを提供する。【解決手段】制御端末器２１は、中央監視装置１１から伝送された点灯制御データは、自らの端末器宛のデータかを識別し、自らの端末器のデータと認識すると、その点灯制御データを取り込み、メモリ２３に記憶されている照明器具グループＬａ〜Ｌｄの識別データと比較し、リレードライバ２４に対して、該当する照明器具グループのリレースイッチ２５をオン／オフ制御させたり、調光制御を行う。【選択図】図２
2008091160.tif 000002
【特許請求の範囲】
【請求項１】
複数の照明器具を複数の単位にグループ分けし、そのグループ毎の照明器具の点灯制御データを作成する機能と、それら点灯制御データを記憶する機能と、前記点灯制御データおよび前記グループ毎の照明器具の点灯状態を表示する機能とを有し、各端末器と接続される伝送信号線および外部端末器がアクセス可能なwebサーバと接続される中央監視装置と；
前記中央監視装置と伝送信号線によって接続されるとともに、前記中央監視装置に記憶されている点灯制御データを基に生成される点灯制御信号によって、前記グループ毎の照明器具の点灯制御を行う複数の制御端末器と；
前記中央監視装置と伝送信号線によって接続されるとともに、アドレスが設定された複数のスイッチが設けられ、このスイッチのオン/オフ操作によって前記アドレスに対応したグループ毎の照明器具を点灯制御するための信号を生成する操作端末器と；
前記スイッチに設定されたアドレスデータを含み、webサーバを介して中央監視装置にアクセス可能なURL情報を外部端末器に表示させるアドレス情報表示手段と；
を具備したことを特徴とする照明制御システム。
【請求項２】
外部端末器が、前記アドレス情報表示手段によって表示されたアドレスに対応するグループ毎の照明器具をwebサーバを介して点灯制御可能としたことを特徴とする請求項１に記載された照明制御システム。
【請求項３】
外部端末器が、前記アドレス情報表示手段によって表示されたアドレスに対して、webサーバを介してアドレスを再設定できることを特徴とする請求項１または２に記載された照明制御システム。
【請求項４】
前記アドレス情報表示手段は印刷可能な記録媒体に印刷された２次元バーコードであることを特徴とする請求項１ないし３のいずれか一に記載された照明制御システム。
【発明の詳細な説明】
【技術分野】
【０００１】
本発明は、照明器具の点灯を事前設定された照明器具のグループ毎に外部端末器によってwebブラウザを介して点灯制御またはアドレス設定を行う照明制御システムに関する。
【背景技術】
【０００２】
従来、各種照明器具の効率的照明と省電力照明のために、集中的照明制御システムが開発使用されている（例えば特許文献１参照）。
【０００３】
この集中的照明制御システムの一例を図５を用いて説明する。この図５は、従来の中央監視による照明制御システムの構成を示すブロック図である。
【０００４】
図中の符号６１は、例えば、建物内の中央防災監視室やまたは各フロア毎に設けられている中央監視装置で、壁面に設置される形態のものである。なお、建物の空調やエレベータ等の動力監視や防災監視などシステムと組み合わせた、卓上型の監視装置もある。この中央監視装置６１の表面には、スイッチパネル６２ａと表示画面６２ｂと照明点灯制御データが記憶されているフロッピー（登録商標）ディスク挿入口６２ｃが設けられている。この中央監視装置６１の内部には、図示していない、マイクロコンピュータ（以下、ＣＰＵという）と照明点灯制御データが記憶されているメモリとが設けられており、前記ＣＰＵは、予め設定されたプログラムの基で、前記メモリに記憶されているデータを読み出し、その点灯データの基で、建物内に設定されている各種照明器具を、例えば各フロア毎に点灯消灯制御すると共に、照明器具の現在状態の監視が可能となっている。
【０００５】
一方、建物内のフロアに設置された照明器具は、フロアスイッチの操作を行うと、その操作によって所定の範囲の照明器具が点灯されると、フロアにはその範囲の点灯状態を表示する操作端末器６３と、所定の範囲の照明器具６５の点灯消灯制御を行うオン／オフ制御端末器６４と、所定の範囲の照明器具６７の点灯時の調光制御を行う調光制御端末器６６と、照明器具６５または６７の点灯制御をリモートコントロールで行うリモコン制御端末器６８と、そのリモコン送信信号を発振するリモコン送信端末器６９と、煙り感知や熱感知等の各種防災用の監視器具７１に接続された防災操作端末器７０が設置され、これらは伝送信号線７３を介して前記中央監視装置６２に接続されている。
【０００６】
前記操作端末器６３は、単一または複数のスイッチが設けられ、これらスイッチ毎に照明器具６５，６７をグルーピングされた監視範囲が設定されており、そのスイッチ操作に応じた識別信号が伝送線７３を介して、中央監視装置６１に供給される。
【０００７】
前記オン／オフ制御端末器６４は、前記グループ毎の照明器具の点灯消灯のオン／オフ制御を行うもので、前記中央監視装置６１からの伝送線７３を介して伝送された制御信号の基で、所定のグループの照明器具の点灯消灯制御を行う。
【０００８】
前記調光制御端末器６６は、前記照明器具のグループのうち、点灯照明光を調光するグループの照明器具に対して調光制御を行うもので、前記中央監視装置６１からの伝送線７３を介して伝送された調光制御信号の基で、所定のグループの照明器具の点灯照明の調光を行う。
【０００９】
また、防災操作端末器７０は、監視器具７１が異常状態を感知すると、その感知信号が防災操作端末器７０で、異常内容や場所を示すデータに変換されて、伝送線３を介して、中央監視装置６１に送信し、表示画面６２ｂに異常場所と異常内容を表示する。
【００１０】
なお、表示画面６２には、各照明器具６５，６７の点灯状態も表示される。また、フロッピー（登録商標）ディスクに照明点灯制御データを記録し、そのフロッピー（登録商標）ディスクを前記フロッピー（登録商標）ディスク挿入口６２ｃに挿入して、メモリのデータを書き換えることも可能である。
【００１１】
このような構成の照明制御システムにおいて、操作端末器６３の各スイッチ操作に応じて、中央監視装置６１に設けられたメモリに記憶されている点灯制御データを読み出し、その点灯制御データの基で、制御信号が生成されて、前記オン／オフ制御端末器６４、調光制御端末器６６を駆動制御して、照明器具６５と６７の点灯と調光制御を行ったり、または、リモコン送信端末６９からのリモコン信号の基でリモコン点灯制御する照明器具の点灯制御を行う。
【００１２】
これにより、例えば、建物の各フロアの特定の場所や数カ所に操作端末器６３を設置することで、そのフロアの照明器具全部の点灯制御を行うことができる。
【００１３】
ところで、前記リモコン制御端末器６８は、リモコン送信端末６９からのリモコン信号により、前記照明器具６５，６７のグループのうち、リモコン点灯制御する照明器具の点灯制御を行うもので、前記リモコン送信端末６９からのリモコン信号の信号内容を解読して、前記中央監視装置６１に伝送線７３を介して伝送する。これにより、中央監視装置６１は、リモコン信号にて要求されたグループの照明器具を前記オン／オフ制御端末器６４や前記調光制御端末器６６を介して点灯制御する。このように従来の照明制御システムにおいて、リモコン送信端末６９は操作端末器６３が設置された場所に移動することなくグループ化された照明器具の点灯制御をすることができるため非常に便利である。
【００１４】
また、建物の各フロアの特定の場所や数カ所に操作端末器を設置し、外部設定器と操作端末器を有線または無線によって通信可能として操作端末器の設定も各フロアで行うことができる照明制御システムも提案されている。
【特許文献１】特開２００１−１０２１８３号公報
【発明の開示】
【発明が解決しようとする課題】
【００１５】
しかし、リモコン送信端末６９には汎用性が無く複数のリモコン送信端末６９が必要な場合に管理が煩雑である。また、使用状況によってリモコンの必要数も変化するが、使用状況の変化に柔軟に対応することができない。さらに、操作端末の設定を設定器で行う場合有線であれば操作端末に近づく必要があり、無線で通信する場合には設定器および操作端末器に無線装置を設ける必要がありコストが増加してしまう。
【００１６】
本発明は、webサーバを介した外部設定器によるグループ毎の照明器具の点灯制御および操作端末器のアドレス設定を可能とする照明制御システムを提供することを目的とする。
【課題を解決するための手段】
【００１７】
請求項１の照明制御システムは、複数の照明器具を複数の単位にグループ分けし、そのグループ毎の照明器具の点灯制御データを作成する機能と、それら点灯制御データを記憶する機能と、前記点灯制御データおよび前記グループ毎の照明器具の点灯状態を表示する機能とを有し、各端末器と接続される第１の伝送信号線および外部端末器がアクセス可能なwebサーバと接続される中央監視装置と；前記中央監視装置と伝送信号線によって接続されるとともに、前記中央監視装置に記憶されている点灯制御データを基に生成される点灯制御信号によって、前記グループ毎の照明器具の点灯制御を行う複数の制御端末器と；前記中央監視装置と伝送信号線によって接続されるとともに、前記照明器具のグループ毎に対応するアドレスが設定された複数のスイッチが設けられ、このスイッチのオン/オフ操作によって前記グループ毎の照明器具の点灯操作信号を生成して前記中央監視装置に供給する操作端末器と；前記照明器具のグループ毎に対応するアドレスデータを含み、webサーバを介して中央監視装置にアクセスし、アドレスデータに対応した前記制御端末を点灯制御することを可能とするURL情報を外部端末器に表示させるアドレス情報表示手段と；を具備したことを特徴とする。
【００１８】
本発明とこれ以降の発明に用いる用語とその技術的意味は次の通りである。
【００１９】
本発明の照明制御システムに用いる中央監視装置は、複数の照明器具を複数の単位にグループ分けし、それぞれのグループ毎の複数の照明器具の点灯や消灯または調光等の点灯制御を行うことが可能なものである。また、点灯制御を行うための点灯制御データの入力手段を有し、その入力された点灯制御データを記憶するメモリ手段を有している。このメモリに記憶された前記グループ毎の点灯制御データの基で、点灯制御信号を生成して、前記グループの照明器具のオン／オフ制御端末器と調光制御端末器を駆動制御して照明器具の点灯制御を行うものである。
【００２０】
なお、点灯制御データとしては日単位、月日単位、年間単位のタイムスケジュール等を含んでいてもよい。
【００２１】
また、この中央監視装置には、点灯制御データの入力手段と点灯制御データを表示する表示手段を有しており、この入力手段は、表示手段に表示される画面をタッチすることで、点灯制御データの入力を可能とする構成であってもよい。
【００２２】
さらに、中央監視装置には、各グループ単位の点灯制御指示を行うことが可能なスイッチパネルを有していてもよい。
【００２３】
また、本発明の中央監視装置はwebサーバに接続されている。このため後述する外部端末器からwebサーバを介した中央監視装置へのアクセスを可能とし、外部端末器による各グループの点灯制御および操作端末器のアドレス設定をすることができる。
【００２４】
本発明の照明制御システムの制御端末器は、伝送信号線によって中央監視装置および操作端末器と接続され、グループ単位の複数の照明器具への点灯電力のオン／オフ制御と点灯後の調光制御を行うもので、オン／オフ制御としてリレースイッチや半導体スイッチ等を用いて、中央監視装置または操作端末器からの点灯制御信号の基で、照明器具への点灯電力の供給オン／オフを行う機能と、調光制御として照明器具に供給される点灯電力量を変化させる可変電力供給調整手段を用いて、中央監視装置からの調光制御信号の基で、照明器具への点灯電力供給量を制御する機能とを有するものである。
【００２５】
なお、制御端末器は、照明器具への点灯電力供給オン／オフ機能であるオン／オフ制御と、点灯電力供給量制御する機能である調光制御とを共に行うことのできる制御端末器、または、オン／オフ制御と調光制御を単独で行う個別の制御端末器であっても良い。
【００２６】
本発明の照明制御システムの操作端末器は、伝送信号線によって中央監視装置および制御端末機と接続され、前記各グループ単位の照明器具のオン／オフ操作入力を行う複数のスイッチを有し、かつ、その複数のスイッチの各スイッチの操作により、その操作状態を識別する識別信号およびオン/オフ制御情報を生成する手段を有している。
【００２７】
この操作端末器で生成されたオン/オフ制御情報は、中央監視装置に伝送されて、中央監視装置から操作端末器で操作されたスイッチに基づく、制御端末器への点灯制御データがメモリ手段から読み出され、その点灯制御データにより前記制御端末器に点灯制御信号が供給される。
【００２８】
さらに、この操作端末器にはスイッチに設定されたアドレスデータを記憶するメモリ手段を備えている。
【００２９】
このメモリ手段には、各スイッチに設定されたアドレスとこのアドレスに対応した制御端末器への点灯制御データを記憶させることができ、操作端末器で生成されたオン/オフ制御情報は直接対応する制御端末器へデータを送信することができる。
【００３０】
アドレス情報表示手段は、外部端末器にアドレスデータを認識させるための手段であって印刷可能な記録媒体に印刷された２次元バーコード、液晶に表示された２次元バーコード、光通信、無線通信、などを適用することが可能である。
【００３１】
費用の面を考慮すると紙媒体に印刷された２次元バーコードが最適である。
【００３２】
本発明の照明制御システムで使用する外部端末器は、データ表示用の表示手段と、操作入力指示やデータ入力用のスイッチ手段と、webブラウザによる通信機能と、アドレス認識手段とを有している。
【００３３】
アドレス認識手段は、２次元バーコードの読取り機能や光通信、無線通信、ICタグなどアドレス抽出手段に合わせて選択することができる。
【００３４】
外部端末器としては、例えば２次元バーコード読み取り手段を備えた携帯電話、PDAを使用することができるが、上記機能を有するものであればどのような使用目的、形態の機器であってもよい。
【００３５】
この外部端末器は、webブラウザによる通信機能を利用してwebサーバを介して中央監視装置にアクセスし、前記グルーピングされた照明器具の各グループ単位の点灯制御を行うことができる。このとき、外部端末機はアドレス認識手段によって認識した操作端末器のスイッチのアドレスに対してアドレスを再設定することができる。
【００３６】
ここでいうアドレスの再設定は、スイッチに割当られている固有アドレスに対応したローカルアドレスの設定、設定済みのローカルアドレスを別のローカルアドレスに変更する設定などを含む。
【００３７】
中央監視装置と制御端末器および操作端末器とを接続する伝送信号線は信号伝送用の専用伝送線であってもよいし、中央監視装置から前記制御端末器と前記操作端末器に供給する駆動電力線を共用して、前記点灯制御信号また点灯制御データを駆動電力と共に授受が行われるようにすることも可能である。
【００３８】
中央監視装置は、前記制御端末器及び前記操作端末器以外に、従来のリモコン用の制御端末器や防災監視用端末器が前記伝送信号線を介して接続されても良い。
【００３９】
また、中央監視装置は、壁面に取り付けできる壁面パネル形状、または卓上の監視制御卓に設置できる形状のいずれの形状を有することも可能である。
【００４０】
操作端末器は、壁面に設置可能な形状で、その操作端末器のスイッチ群の個々のスイッチのオン操作に応じて、オン状態を示す表示が点灯するようにしてもよく、この表示点灯は照明器具の動作状態を示すために有益であり、この表示点灯はＬＥＤや小型のランプ等を用いることができる。
【００４１】
請求項２の照明制御システムは、前記アドレス情報表示手段は印刷可能媒体に印刷された２次元バーコードであることを特徴とする。
【００４２】
例えば、監視端末機に設けられたスイッチに対応した所定位置に２次元バーコードが印刷されたシールを添付することができる。
【発明の効果】
【００４３】
請求項１の照明制御システムによれば、アドレス表示手段によって外部端末器がwebサーバを介して中央制御装置に容易にアクセスできるようになる。
【００４４】
請求項２の照明制御システムによれば、外部端末器によってwebサーバを介して中央制御装置にアクセスして照明制御をすることが可能となるため、専用のリモコンを必要とせずリモコン機能体の必要数に柔軟に対応することができる。
【００４５】
請求項３の照明制御システムによれば、外部端末器によってwebサーバを介して中央制御装置にアクセスして操作端末器のアドレスを再設定することが可能となるため、専用の設定器を必要とせず、様々な場所においても設定作業を行うことができる。
【００４６】
請求項４の照明制御システムによれば、請求項１の照明制御システムにおいて、外部端末器による操作端末器に設定されたアドレスデータの認識を容易に行うことができるとともに、通信のためにあらたな機能を操作端末器に設ける必要がないのでコストが上がることがない。
【発明を実施するための最良の形態】
【００４７】
以下、図面を参照して本発明の実施の形態について詳細に説明する。
【００４８】
図１は本発明に係る照明制御システムの一実施の形態に用いる外部端末器の外観構成を示す斜視図である。
【００４９】
外部端末器１は、２次元バーコードが読み込み可能なカメラ付き携帯電話でwebブラウザによる通信機能を有している。表面部分には、液晶表示素子からなる表示画面２と、通信時のデータ入力を行うキー操作部３と、２次元バーコードが読み込み可能なカメラ４とが配置されている。
【００５０】
このような外観構成の外部端末器１を用いた照明制御システムについて、図２を用いて説明する。この図２は、本発明に係る照明制御システムの構成を示すブロック図である。
【００５１】
本発明の照明制御システムは、建物等の施設の中央監視室または中央防災室等に設置される中央監視装置１１と、建物の各フロア等に設置されている照明器具の点灯制御を行う制御端末器２１と、複数の照明器具を予め複数にグループ分けして、それらのグループ毎の照明器具の点灯状態を監視する操作端末器３１からなっている。また、この照明制御システムを用いて防災監視も併せて行うために、警報端末器４１が設けられている。制御端末器２１、操作端末器３１及び警報端末器４１は、第１の伝送信号線６１aで中央監視装置１１と接続されている。
【００５２】
中央監視装置１１は、伝送部１２と、表示部１３と、スイッチ部１４と、ＣＰＵ１５と、メモリ１６と、及び電源部１７からなり、表示部１３とスイッチ部１４及びＣＰＵ１５を接続するバスライン１８で構成されている。
【００５３】
伝送部１２は、この中央監視装置１１と、制御端末器２１や操作端末器３１及び警報端末器４１との間で交換される各種データの送受信を行うための第１の伝送信号線６１aが接続されるインターフェイス（図示しない）、およびwebサーバ８０に接続可能な第２の信号線としてのLANケーブル６１bを接続するインターフェイス（図示しない）が設けられている。
【００５４】
表示部１３は、液晶素子等で構成され、各種データや照明器具の動作情報を文字や図形で表示する表示画面で、この表示部１３は表示画面の所定の部分をタッチすることで、各種制御の操作指示やデータの入力が可能なタッチパネルである。
【００５５】
スイッチ部１４は、制御端末器２１や操作端末器３１及び警報端末器４１の動作制御を遠隔で操作制御する各種スイッチが配置されている。
【００５６】
ＣＰＵ１５は、表示部１３やスイッチ部１４の操作指示入力の基で、その指示入力に応じた各種プログラムの基で、制御端末器２１や操作端末器３１及び警報端末器４１との間での各種制御信号とデータの送受信およびwebサーバ８０を介した外部端末との各種データの送受信を伝送部１２を介して行うものである。
【００５７】
メモリ１６は、制御端末器２１や操作端末器３１を制御する各種データが記憶されている。
【００５８】
電源部１７は、商用電源１９と接続され、中央監視装置１１の各機能を駆動させる電力の生成と図示していない電力供給線によって制御端末器２１と操作端末器３１への駆動電力を供給するものである。
【００５９】
制御端末器２１は、ＣＰＵ２２と、メモリ２３と、リレードライバ２４と、及び複数のリレーからなるリレースイッチ２５から構成されている。
【００６０】
この制御端末器２１のＣＰＵ２２は、中央監視装置１１から伝送されたデータまたは制御信号の基で、リレードライバ２４の動作制御信号を生成するものであり、メモリ２３は、中央監視装置１１から伝送された制御用データを一時記憶するものである。
【００６１】
リレードライバ２４は、ＣＰＵ２４からの動作制御信号の基で、リレースイッチ２５の複数のリレーのオン／オフ制御するものである。
【００６２】
このリレースイッチ２５には、複数のリレーＲ１〜Ｒ４が配置されており、このリレーＲ１〜Ｒ４には、それぞれグループ分けされた複数の照明器具が点灯電力源２６を介して接続されている。つまり、リレーＲ１には照明器具Ｌａ１〜Ｌａｎが、リレーＲ２には照明器具Ｌｂ１〜Ｌｂｎが、リレーＲ３には照明器具Ｌｃ１〜Ｌｃｎが、リレーＲ４には照明器具ｌｄ１〜Ｌｄｎが点灯電源２６との間に接続されている。
【００６３】
なお、制御端末器２１には、リレードライバ２４とリレースイッチ２５以外に、照明器具Ｌａ〜Ｌｃの点灯時の調光制御を行う必要がある場合には、各照明器具Ｌａ〜Ｌｄの調光制御する調光機能も有している。
【００６４】
操作端末器３１は、ＣＰＵ３２と、メモリ３３と、複数のスイッチ３４と及び前記スイッチ３４の操作表示用のＬＥＤ等の表示ランプ３５ａ〜３５ｄからなり、ＣＰＵ３２は、スイッチ３４の操作に応じた信号を生成して、中央監視装置１１に伝送するもので、メモリ３３には、スイッチ３４の各スイッチに応じて割付られた固有アドレス等の識別情報及び操作状態データが記憶されている。また、表示ランプ３５ａ〜３５ｄは、スイッチ３３の操作状態に応じて、ＣＰＵ３２の制御の基で点灯または消灯するもので、例えばスイッチ３４のＳＷ１がオン操作されると表示ランプ３５ａが点灯し、オフされると消灯するようになっている。
【００６５】
さらに、この操作端末器３１の表面には、各スイッチに割付られた固有アドレスなどの情報が２次元バーコードとして印刷された紙媒体が貼り付けられている。
【００６６】
警報端末器４１は、伝送インターフェイス（以下、伝送Ｉ／Ｆという）４２とＣＰＵ４３からなり、このＣＰＵ４３には、火災感知と防犯感知を行う各種感知器４４ａ〜４４ｎが接続されており、感知器４４ａ〜４４ｎのいずれかが火災または防犯上の異常を感知すると、ＣＰＵ４３がその異常発生を知らせる警報信号の生成と、異常発生場所の示す位置信号を生成して、伝送Ｉ／Ｆ４２を介して中央監視装置１１に送信する。なお、この警報端末器４１の伝送線１を中央監視装置１１に接続されることは、本発明の照明制御システムに直接的な影響はないために詳細説明は省略する。
【００６７】
なお、制御端末器２１と操作端末器３１及び警報端末器４１は複数箇所に設置されており、例えば、建物の場合には、各フロア毎とか、フロアの複数の箇所に設置されている。さらに、操作端末器３１は、壁面に設置されて、人によるスイッチ３４の操作が可能となっている。
【００６８】
次に、このような照明制御システムの動作について説明する。中央監視装置１１のメモリ１６には、制御端末器２１内の複数のグループ毎の照明器具Ｌａ〜Ｌｃの点灯消灯制御や調光制御のデータ及び日、月、年単位の照明点灯制御データが事前設定されて記憶されている。このため、中央監視装置１１のスイッチ部１４が操作されると、その操作スイッチからの指示信号の基でＣＰＵ１５は、該当データをメモリ１６から読み出し、その読み出したデータを基に該当照明器具の点灯制御データを伝送部１２から第１の伝送信号線６１aを介して、制御端末器２１に伝送する。
【００６９】
制御端末器２１は、中央監視装置１１から伝送された点灯制御データは、自らの端末器宛のデータかを識別し、自らの端末器のデータと認識すると、その点灯制御データを取り込み、メモリ２３に記憶されている照明器具グループＬａ〜Ｌｄの識別データと比較し、リレードライバ２４に対して、該当する照明器具グループのリレースイッチ２５をオン／オフ制御させたり、調光制御を行う。
【００７０】
なお、中央監視装置１１による制御端末器２１への点灯制御データの伝送は、前記表示部１３のタッチパネルの所定タッチ部をタッチすることで、前記スイッチ部１４と同様に必要な点灯データを制御端末器２１へ伝送することも可能である。また、表示部１３は、制御端末器２１の複数の端末器の点灯動作状態を表示できるようになっており、これにより、建物全体の制御端末器単位の照明器具の点灯状態が把握できるようにもなっており、さらに、その全体照明点灯制御状態表示と共に、警報端末器４１の警報感知状態または異常発生時にその異常が識別できるように同時表示することも可能である。
【００７１】
一方、照明器具の点灯制御は、照明器具が設置されている場所の近辺でも点灯制御できることが必要である。このために、操作端末器３１により、点灯制御がなされる。この操作端末器３１は、スイッチ３４の各スイッチＳＷ１〜ＳＷ４の操作状態がＣＰＵ３２で監視されており、その状態はデータ化されて、第１の伝送信号線６１aを介して、中央監視装置１１に伝送され、中央監視装置１１のＣＰＵ１５は、操作端末器３１のスイッチ３４の各スイッチＳＷ１〜ＳＷ４の現在状態が認識されると共に、前記表示部１３にその状態が表示されている。
【００７２】
操作端末器３１のスイッチ３４のうち、例えばスイッチＳＷ１がオフ状態からオン状態に操作されると、操作端末器３１のＣＰＵ３２は、スイッチＳＷ１の操作信号の基で、メモリ３３からスイッチＳＷ１の識別データを読み出し、かつ、スイッチＳＷ１の識別データと共に、オン操作されたデータとこのスイッチＳＷ１の表示用ランプ３５ａを点灯制御して、前記スイッチＳＷ１の識別とオン操作データを第１の伝送信号線６１aを介して、中央監視装置１１に伝送する。
【００７３】
中央監視装置１１は、操作端末器３１から伝送されたスイッチＳＷ１の識別とオン操作データを基に、中央監視装置１５のＣＰＵ１５でメモリ１６に記憶されているスイッチＳＷ１にグルーピングされている照明器具、例えば照明器具Ｌａの点灯制御データを読み出し、その読み出したデータを基に、前記制御端末器２１に対して、その点灯制御データを第１の伝送信号線６１aを介して伝送すると共に、表示部１３に該当スイッチＳＷ１の表示または、そのスイッチＳＷ１によって点灯制御される照明器具のグループ表示を点灯状態とする表示に変更する。
【００７４】
中央監視装置１１から伝送されたスイッチＳＷ１の点灯制御データの基で、制御端末器２１のＣＰＵ２２は、スイッチＳＷ１にグルーピングされた照明器具Ｌａをオン動作させる点灯制御信号を生成して、リレードライバ２４に供給し、このリレードライバ２４の制御により、リレースイッチ２５のリレーＲ１をオン動作させて、照明器具Ｌａ１〜ＬａｎにこのリレーＲ１を介して、点灯電源２６からの電力を供給する。
【００７５】
また、スイッチＳＷ１をオン状態からオフ状態に操作されると、前述のオン操作と同様に操作端末器３１から中央監視装置１１にオフ操作したスイッチ識別とオフ操作データが伝送され、中央監視装置１１から制御端末器２１に該当リレースイッチ２５のリレーＲ１をオフ駆動させる制御データを伝送すると共に、中央監視装置１１の表示部１３の表示をオフ状態表示に変更するようになっている。
【００７６】
このようにして、操作端末器３１に配分された照明器具のグループ毎に対応してスイッチ３４の操作内容が中央監視装置１１に伝送され、そのスイッチ３４に対応するグループの照明器具の点灯消灯制御が中央監視装置１１から制御端末器２１に伝送されて、所定のグループの照明器具の点灯制御と必要に応じて調光制御が実施される。
【００７７】
次に、図３を用いて外部端末器１による照明制御の方法について説明する。図３は携帯電話のブラウザ画面の一例を示している。まず、外部端末器１のカメラ５によって操作端末器３１に設置された２次元バーコードを読み込む。この２次元バーコードには操作端末器３１の各スイッチ３４に予め設定されている固有アドレス情報を含む中央監視装置１１のURL情報が含まれる。外部端末器１は、２次元バーコードから読み込んだURL情報を基にサーバ８０を介して中央監視装置１１にアクセスできる。ブラウザ画面では固有アドレスに対応したスイッチのオン/オフ操作ができるようになっている。例えばスイッチSW１の固有アドレスのブラウザ画面上でオン操作すると中央監視装置１５のＣＰＵ１５でメモリ１６に記憶されているスイッチＳＷ１にグルーピングされている照明器具、例えば照明器具Ｌａの点灯制御データを読み出し、その読み出したデータを基に、前記制御端末器２１に対して、その点灯制御データを第１の伝送信号線６１aを介して伝送すると共に、表示部１３に該当スイッチＳＷ１の表示または、そのスイッチＳＷ１によって点灯制御される照明器具のグループ表示を点灯状態とする表示に変更する。このとき、スイッチＳＷ１の表示用ランプ３５ａを点灯制御する信号が第１の伝送信号線６１aを介して操作端末機３１に伝送される。オフ操作の場合も同様であるが、中央制御装置にオン/オフ操作データが伝送された後の中央監視装置および制御端末器２１の動作についての説明は操作端末器３１によってオン/オフ操作された場合と同様であるので省略する。
【００７８】
また、図４に示すようなブラウザ画面上でスイッチ３４の固有アドレスに対応したローカルアドレスを設定できるようにしてもよい。
【００７９】
例えば、操作端末器３１が直接各制御端末器にオン/オフ制御信号を送信して点灯制御する場合、オン/オフ制御信号には操作端末器の各スイッチ３４に割付られた固有アドレス情報が含まれる。この固有アドレスは桁数が大きく情報量が多いため送信する信号が重くなる。そこで、外部端末器１を用いて中央制御装置１１にアクセスし、外部端末器１のスイッチ３４にローカルアドレスを設定できるようにしておくことによってオン/オフ制御信号のデータを小さくすることができる。
【００８０】
本発明の照明制御システムにおいて、中央監視装置１１、制御端末器２１、及び操作端末器３１との間の点灯制御データの送受信は、第１の伝送信号線６１aを設けた例を用いて説明したが、この点灯制御データの送受信は、中央監視装置１１から制御端末器２１と操作端末器３１へ供給する駆動電力の電力供給線に点灯制御データを伝送しても良く、これにより、伝送線の省力化が可能となる。
【００８１】
また、上記実施例において第１の信号電送線にリモコン制御端末を接続し、リモコン送信端末による照明制御手段を設けた構成であってもよい。
【図面の簡単な説明】
【００８２】
【図１】本発明に係る照明制御システムに用いる外部端末器の外観構成を示す斜視図。
【図２】本発明に係る照明制御システムの一実施形成の構成を示すブロック図。
【図３】本発明による外部端末器による点灯制御のブラウザ画面の一例を示す図。
【図４】本発明による外部端末器によるアドレス設定のブラウザ画面の一例を示す図。
【図５】従来の照明制御システムの構成を示すブロック図。
【符号の説明】
【００８３】
１…外部端末器
１１…中央監視装置
１２…伝送部
２１…制御端末器
３１…操作端末器
【図１】
2008091160.tif 000003
【図２】
2008091160.tif 000004
【図３】
2008091160.tif 000005
【図４】
2008091160.tif 000006
【図５】
2008091160.tif 000007